(57)【要約】      （修正有）【課題】カメラ内部で発生した熱を効率よく外部に逃がし、カメラ内部の温度上昇を押さえる放熱構造を備えた、コンパクトなカメラを提供する。【解決手段】ユニット取り付け板４８に装着されるＣＣＤ４６，撮像回路部を有する撮像部とＬＣＤ表示ユニットを有しており、上記撮像部、ＬＣＤ表示ユニットで発生した熱は、ユニット取り付け板４８に設けられる接触片７２を後カバー板の内面に当接させることによって、該後カバーに効率よく伝達される。【選択図】図３
2008271571.tif 000002
【特許請求の範囲】
【請求項１】
被写体像を結像する撮影レンズ部と、
上記撮影レンズ部の後端に備えられ、被写体像を光電変換する撮像素子と、
上記撮像素子に近接し、カメラ背面を保護する後カバーと、
上記撮像素子の背面に位置し、上記後カバーに形成された開口に表示面が臨むように配置される撮影画像を表示する画像表示手段と、
上記撮影レンズ部および画像表示手段が取り付けられ、取り付けられた上記画像表示手段の少なくとも一辺から延出して設けられる熱伝達部を有する取り付け部材と、
を備え、上記熱伝達部は、上記後カバー内面部に接触し、上記撮像素子および上記画像表示手段で発生した熱を上記後カバーに伝達することを特徴とするカメラ。
【請求項２】
上記後カバーの内面部は上記開口の左方下部であることを特徴とする請求項１に記載のカメラ。
【請求項３】
上記後カバーは金属製であることを特徴とする請求項１または２に記載のカメラ。
【請求項４】
上記撮影レンズ部および上記画像表示手段を含むカメラ内部は、防水構造により構成されることを特徴とする請求項１−３の何れか一項に記載のカメラ。
【発明の詳細な説明】
【技術分野】
【０００１】
本発明は、カメラの構造、特にカメラの放熱構造に関する。
【背景技術】
【０００２】
従来、撮像素子を備えたデジタルカメラでは、銀塩カメラに比べて格段に電気部品を多く搭載し、消費電力も多く、例えば、内蔵される撮像素子や電源基板は、発熱量の大きい部材である。特に上記撮像素子は、カメラ内部の温度上昇の影響によって、ノイズが増加したり、撮像特性が悪化する恐れがあるので、効率よく放熱する必要がある。
【０００３】
従来からカメラ等の上記放熱構造に関しては、各種の提案がなされている。例えば、特許文献１，２には、撮像装置における撮像素子の発熱を伝熱部材を介して効率的に外装に逃がす構造が提案されている。
【０００４】
また、特許文献３には、ビデオカメラにおいて、回路基板を放熱板を介してバッテリに接触させる構造が提案されており、上記回路基板で発生した熱を上記バッテリに逃がすようにしている。
【０００５】
また、特許文献４には、磁気記録再生装置において、大きな発熱部材である撮像素子と電源基板を分散配置することによって、内部温度上昇を抑えるようにした構造の提案なされている。
【０００６】
一方、防水機能を備えたカメラは、デジタルカメラおよび銀塩カメラにてかなり一般的なものとなっているが、特にデジタルカメラでは、特別なカプセル状の防水ケース内にカメラ本体を格納して使用するようなタイプのものが市販されている。
【特許文献１】特許文献１は、特許公開公報平１１−３４１３２１号である。
【特許文献２】特許文献２は、特許公開公報平７−１０７３９３号である。
【特許文献３】特許文献３は、特許公開公報平８−２３４６７号である。
【特許文献４】特許文献４は、特許公開公報平７−１４３４２８号である。
【発明の開示】
【発明が解決しようとする課題】
【０００７】
上述した従来のデジタルカメラ等において撮像部や画像表示装置等で発生した熱を放熱する放熱構造は、カメラの使用状況やカメラ特性を悪化等を考慮した場合、必ずしも十分な放熱効果が得られるものとはいえなかった。また、カメラの組立性の点についても十分考慮がなされたものではなかった。特にデジタルカメラに対しては、小型化の要求が強く、その小型化に支障とならない撮像部や画像表示装置等の放熱構造を適用することが必要である。
【０００８】
一方、防水機能を備えたデジタルカメラに関して上記従来の防水ケースにカメラを収納するようなタイプでは、別途に防水ケースを携帯しなければならず、携帯性がよくない。そこで、従来の防水機能を有する銀塩カメラと同様にカメラ外装をパッキン等で密閉する構造を採用すると、カメラ内部が外部に対して空気の循環がなくなり、放熱性が悪化し、内部温度の上昇することが考えられる。その内部温度の上昇により撮像素子等の特性が劣化し、所望の撮影画質性能を維持することができなくなるといった問題があった。
【０００９】
本発明は、上述した問題に鑑みてなされたものであって、カメラの外形の大形化を避け、カメラ内部で発生した熱を効率よく外部に逃がし、カメラ内部の温度上昇を押さえて本来の撮影性能を発揮できるような放熱構造を備え、また、防水機能のために密閉されたものに対してもコンパクトで、かつ、放熱性のよいカメラを提供することを目的とする。
【課題を解決するための手段】
【００１０】
本発明のカメラは、被写体像を結像する撮影レンズ部と、上記撮影レンズ部の後端に備えられ、被写体像を光電変換する撮像素子と、上記撮像素子に近接し、カメラ背面を保護する後カバーと、上記撮像素子の背面に位置し、上記後カバーに形成された開口に表示面が臨むように配置される撮影画像を表示する画像表示手段と、上記撮影レンズ部および画像表示手段が取り付けられ、取り付けられた上記画像表示手段の少なくとも一辺から延出して設けられる熱伝達部を有する取り付け部材と、を備え、上記熱伝達部は、上記後カバー内面部に接触し、上記撮像素子および上記画像表示手段で発生した熱を上記後カバーに伝達することを特徴とする。
【発明の効果】
【００１１】
本発明によれば、撮像部や画像表示手段で発生した熱が熱伝達部材を介して後カバーに効率よく伝達され、上記撮像部や画像表示手段の温度上昇顔さえられ、カメラの本来の撮影性能が維持され、かつ、カメラのコンパクト化も実現可能となる。
【発明を実施するための最良の形態】
【００１２】
以下、図面を参照して本発明の実施の形態を説明する。
【００１３】
図１は、本発明の一実施形態のカメラの外観を示す斜視図である。図２は、上記カメラの分解斜視図であり、図３は、上記カメラのレンズ鏡筒まわり組み立てユニットの分解斜視図である。図４は、上記レンズ鏡筒に装着されるＣＣＤ基板および撮像基板の斜視図である。図５は、上記カメラに収納される中枠と電池カバー板の分解斜視図である。図６は、上記カメラに収納される熱伝達用接触片が取り付けられた電気基板（Ａ）の斜視図である。
【００１４】
なお、本実施形態のカメラの配置に説明において、カメラ幅方向である左右方向（図中のＸ方向）は、カメラの被写体側から見た左右方向で示すものとする。前後方向（図中のＺ方向、すなわち、撮影レンズ光軸Ｏに沿う方向）は、被写体側を前方、反被写体側を後方、または、背面側とする。上下方向（図中のＹ方向）は、カメラを通常状態でホールドしたときの上下方向で示すものとする。
【００１５】
本実施形態のカメラ１は、被写体撮影用の撮像素子を内蔵する、所謂、デジタルカメラである。このカメラの外装２としては、図１に示すように前カバーユニット２Ａと、中カバーユニット２Ｂと、後カバーユニット２Ｃと、コネクタ蓋２７と、図示しない電池蓋とを有してなり、各外装接合部は、パッキン等を介して密閉される防水構造が適用されているものとする。
【００１６】
上記前カバーユニット２Ａの前面開口部には、沈胴可能な撮影レンズ鏡筒３が配置されている。その撮影レンズ鏡筒３の撮影レンズ４３の前面を開閉するレンズバリア１５が前カバーユニット２Ａの前面部に左右方向にスライド自在に取り付けられている。上記レンズバリア１５の開閉は、撮影レンズ４３が沈胴位置にあるときに行われる。なお、以下、撮影レンズ鏡筒はレンズ鏡筒と記載する。
【００１７】
上記中カバーユニット２Ｂの上面部には、レリーズスイッチ操作釦５１が配置されている。
【００１８】
上記後カバーユニット２Ｃの背面部には、ファインダ接眼窓部２５ａと、ＬＣＤ表示窓部２５ｂと、スイッチ操作釦群５４，５５等が配置されている。また、その底面部には、開閉可能な電池蓋（図示せず）が配置されている。
【００１９】
さらに、後カバーユニット２Ｃの左方端部には、上記コネクタ蓋２７が開閉回動自在に支持されており、このコネクタ蓋２７により外部コネクタ端子部であるビデオ出力端子部６４やＵＳＢ端子部６５、さらに、メモリカード（記録媒体）挿入用カードスロット６３のカード開口部が開閉される。
【００２０】
次に、本実施形態のカメラ１の構成を図２を用いて説明する。  
本カメラ１は、上述したカメラ外装２としての上記前カバーユニット２Ａ，中カバーユニット２Ｂ，後カバーユニット２Ｃ，コネクタ蓋２７（図示せず），電池蓋（図示せず）と、上記カメラ外装２内に組み込まれる主な構成部材としてレンズ鏡筒３，ＬＣＤ表示ユニット１１を含むレンズ鏡筒ユニットとしてのレンズ鏡筒まわり組み立てユニット７０と、ストロボ発光管４９を内蔵するストロボ発光ユニット５と、ファインダ光学系を内蔵するファインダユニット４と、電気基板（Ａ），（Ｂ），（Ｃ）６，７，８と、電源用電池１２を収納する電池室２４ａが設けられる中枠２４と、ストロボ発光のための電荷チャージ用のストロボコンデンサ１４と、レリーズスイッチ操作釦５１と、さらに、操作スイッチ基板５３等を有してなる。
【００２１】
上記前カバーユニット２Ａは、カメラの前面側を保護する外装であり、金属（アルミニウム等）薄板製の外装部を形成する前カバー板２１と、前カバー板２１の内部に接着固定される合成樹脂製の組み付け用前カバー枠２２とからなる。
【００２２】
同様に上記中カバーユニット２Ｂは、カメラの中央部分の外装であり、金属（アルミニウム等）薄板製の外装部を形成する中カバー板２３からなる。
【００２３】
さらに上記後カバーユニット２Ｃは、カメラの後面側を保護する外装であり、金属（アルミニウム等）薄板製の外装部を形成する後カバー板２５と、後カバー板２５の内部に接着固定される合成樹脂製の組み付け用後カバー枠２６とからなる。
【００２４】
上記前カバー枠２２と、後カバー枠２６とは、図示しないビスを挿通させ、螺着することにより結合され、上記前カバー板２１、中カバー板２３、後カバー板２５により本カメラ１の外装が形成される。
【００２５】
上記前カバー板２１には、中央上方部にストロボ発光窓３３と、ファインダ窓３２と、セルフタイマＬＥＤ窓３４が配され、中央下方部にリモートコントロール用窓３５が配され、さらに、左方開口部に撮影レンズ用開口部３１ａを有する前リング３１が接着固定される。また、前カバー枠２２には前カバー板２１の上下位置に左右方向に延びるバリアガイド溝２２ａが設けられる。
【００２６】
上記バリアガイド溝２２ａには、レンズバリア１５がスライド自在に嵌入して取り付けられる。上記レンズバリア１５は、撮影レンズ用開口部３１ａとストロボ発光窓３３等を閉鎖する閉位置（右方位置）と開放する開位置（左方位置）にスライド操作が可能である。
【００２７】
上記前リング３１は、外周右側端部に閉位置にあるレンズバリア１５の先端部が当接可能なバリア当接突起３１ｂが設けられており、閉鎖位置にあるレンズバリア１５が押圧されたとき、レンズバリア１５の先端が上記突起３１ｂに当接することにより前カバー板２１の変形や傷付き、さらには、レンズバリアの変形が防止される。
【００２８】
上記前カバー板２１のファインダ窓３２の後方位置にファインダ光学系を内蔵するファインダユニット４が配置される。
【００２９】
上記前カバー板２１のストロボ発光窓３３の後方位置にストロボ発光管４９を内蔵するストロボ発光ユニット５が配置される。
【００３０】
上記中カバー板２３には、レリーズ釦用開口部２３ａとＤＣ端子用切り欠き部２３ｂが設けられる。レリーズ釦用開口部２３ａには、レリーズスイッチ操作用レリーズ釦５１が挿入される。
【００３１】
上記中枠２４には、撮像部の反対側の左方位置に電池格納空間を備え、かつ、下方開口を有する電源用電池１２が挿入可能な電池室２４ａが設けられ、さらに、その上部に右方突出部が形成されており、その突出部端に後述するユニット取り付け板４８の固定用ビス挿通穴２４ｂと、背面部にユニット取り付け板４８固定用のビスネジ穴２４ｃ（図５）と、側面部に係止突起２４ｄ（図５）とが設けられる。また、中枠２４の右側、かつ、上記右方突出部の下側のスペ−スには、ストロボコンデンサ１４を上下方向に沿って収納できる縦長のスペ−スが形成されている。
【００３２】
また、上記中枠２４の背面には、図５に示すように収納された電池室２４ａの電池１２を覆うように取り付けられる金属薄板製の電池室用熱伝達部材を兼ねる電池カバー板８１が配される。この電池カバー板８１は、２つの係止穴８１ａを有し、中枠２４の突起２４ｄに係合させ、さらに、ビス８３によって接触片８２と共に中板２４にビス穴２４ｅに螺着して取り付けられる。このように電池室２４ａに電池カバー板２４を取り付ける構造を採用することで電池室２４ａの放熱性をよくする以外に中枠２４が成型しやすい構造となっている。
【００３３】
また、電池カバー板８１の背面の後カバー板２５との間には、弾性変形可能な金属製板バネで形成された弾性接触部材の接触片８２がビス８３により固着されている。上記板バネの材質としては、熱伝導性のよい金属板、例えば、リン青銅板が適している。この接触片８２の上下に延出する接触部８２ａ，８２ｂは、カメラ内組み付け状態において後カバー板２５の左方内面部の２箇所の接触部２５ｆに圧接状態で当接する。したがって、電池１２や電気基板（Ｂ）７のＡＳＩＣ等で発生した熱は、上記接触片８２を介して後カバー板２５の左側表面に放熱される。
【００３４】
上記後カバー板２５の背面部には、ファインダ接眼窓部２５ａと、ＬＣＤ窓部２５ｂと、ズームスイッチ釦群５４およびモード設定釦群５５が配置され、さらに、後カバー板２５の内部には、上記ズームスイッチ釦群５４およびモード設定釦群５５により操作される操作スイッチ基板５３が配置される。
【００３５】
上記後カバー枠２６には、左方下部にＤＣ−ＩＮ端子用開口部２６ａと、底面部に開閉可能な電池蓋（図示せず）を有する電池挿入用開口部２６ｂが設けられる。
【００３６】
上記電気基板（Ａ）６は、前カバー板２１に接近し、かつ、平行な状態で配置される基板であって、電源部を構成するものであって主に電源回路部が実装されている。この電気基板（Ａ）６には、図６に示すように前面の実装面側に電源用熱伝達部材であり、弾性接触部材である金属製板バネの接触片８５が固着されている。この接触片８５は、上記実装面上の実装エリア６ａを跨いだ状態でビス８６，８７で取り付けられており、前後方向に弾性変形可能であって左右方向に延出した状態の複数の接触部８５ａ，８５ｂを有している。この接触片８５は、取り付けで前カバー板２１と電気基板（Ａ）６に挟まれて配置される。
【００３７】
上記電気基板（Ｂ）７は、電池室前側基板としてのメイン制御基板であって、画像処理回路であるＡＳＩＣや各種の制御回路部が実装されており、さらに、ビデオ出力コネクタ端子６４とＵＳＢコネクタ端子部６５が撮像基板１０側との接続用コネクタ６１とメモリカードが装着可能なカードスロット６３等が実装されている。上記カードスロット６３は、後カバー枠２６の左端面のカード開口部内側に位置している。上記端子部６４，６５は、後カバー枠２６の左端面の端子開口部内側に位置している。なお、上記ＡＳＩＣは、放熱が必要なＩＣである。
【００３８】
上記電気基板（Ａ），（Ｂ）６，７は、レンズ鏡筒３の左方、中枠２４の前方に所定距離離間させて固定支持される。すなわち、カメラ組み立て状態では、電気基板（Ｂ）７を電池室２４ａの前部に配置され、さらに、その前部に電気基板（Ａ）６が前カバー板２１の内面に対向した状態で配置される。
【００３９】
上記組み付け配置状態では、電気基板（Ａ）６に取り付けられている接触片８５の接触部８５ａ，８５ｂは、前カバー板２１の左側内面の接触部２１ａ，２１ｂ（図２）に圧接状態で接触する。したがって、電気基板（Ａ）６上の各実装部品で発熱した熱は、接触片８５を介して前カバー板２１の表面に伝達され、放熱される。なお、前カバー板２１の左側内面の接触部２１ａ，２１ｂは、グリップ部２１ｃ近傍であるが、撮影状態ではレンズバリア１５により覆われる部分の内面である。
【００４０】
また、中枠２４に対向した状態に配置される電気基板（Ｂ）７に実装されるＡＳＩＣ等で発熱した熱は、中枠２４に伝達され、さらに、上記中枠２４に取り付けられている電池カバー板８１および接触片８２を介して電池１２の熱とともに後カバー２５側に放熱される。
【００４１】
上記電気基板（Ｃ）８は、中枠２４の右側に突出した状態でレンズ鏡筒３の下側に固定支持され、主にストロボ制御回路部やストロボコンデンサ１４が実装されており、さらに、ＤＣコネクタ端子６６が実装されている。上記端子６６は、後カバー枠２６の右端面のＤＣ端子開口部２６ａ内側に位置している。
【００４２】
上記レンズ鏡筒まわり組み立てユニット７０は、図３に示すようにレンズ鏡筒３，撮像部である鏡筒側方電気基板としての撮像基板１０，レンズ駆動部１３からなる撮影レンズ部と、画像表示部であるＬＣＤ表示ユニット１１と、撮影レンズ部とＬＣＤ表示ユニット１１とを保持する取り付け部材であるユニット取り付け板４８とを有してなり、１つのユニットとして組み立てられる。
【００４３】
上記レンズ鏡筒３は、外周に防水用パッキン４４が装着された固定枠４１と、固定枠４１に光軸Ｏ方向に進退移動可能に支持され、撮影レンズ４３を保持する移動枠４２と、鏡筒内部の撮影レンズ４３の結像面位置に撮像素子のＣＣＤ４６が実装されている撮像素子基板としてのＣＣＤ基板９と、ＣＣＤ位置決め板７５とを有してなる。
【００４４】
上記ＣＣＤ基板９は、上記固定枠４１の背面（レンズ鏡筒背面）上にその主平面（最も広い面，、または、機能上主要な面）を光軸Ｏに直交させた状態で固定支持され、鏡筒内面側の撮影レンズ４３の結像面位置に撮像素子であるＣＣＤ４６が実装され、また、撮像回路の一部が実装されている。ＣＣＤ基板９に実装されたＣＣＤ４６は、固定枠４１に対して撮像用伝熱部材を兼ねる金属板製のＣＣＤ位置決め板７５を介して位置決め固定される。すなわち、ＣＣＤ４６は、図４に示すＣＣＤ位置決め板７５の所定位置に実装され、そのＣＣＤ位置決め板７５は、固定枠４１に対して位置決め穴７５ｂ，位置決め長穴７５ｃで位置決めされ、ビス挿通穴７５ａを挿通させたビスにより固定枠４１に固定される。なお、上記ＣＣＤ位置決め板７５には、後方部の熱伝達部分となる突出部にビスネジ穴７５ｄが設けられている。
【００４５】
上記レンズ駆動部１３は、上記固定枠４１の前方側左方向に突出した状態で配置され、内部にギヤ列等の駆動力伝達部を内蔵し、下方位置にはレンズ駆動源となる駆動モータ４５が設けられていて、移動枠４２を移動させ、沈胴動作、および、ズーム調整を行わせる。
【００４６】
ユニット取り付け板４８は、ＣＣＤ４６の後方で後カバー板２５に平行、かつ、接近して配置され、撮像用熱伝達部材を兼ねる金属板製の取り付け板である。この取り付け板４８は、ＣＣＤ基板９のための逃げ開口部４８ａと、その周囲に配されるビス挿通穴４８ｂと、上方折り曲げ突出部に配置されるビスネジ穴４８ｃと、下部左方突出部に配されるビス挿通穴４８ｄと、下部右側折り返し突出部に配されるビスネジ穴４８ｅと、ビス挿通穴４８ｆとが設けられる。このユニット取り付け板４８は、固定枠４１の光軸Ｏと直交する背面に配されるビスネジ穴４１ｂにビス挿通穴４８ｂを介してビス７６を螺着することによって固定枠４１の背面上に固定される。さらに、ビス７７をビス挿通穴４８ｆに挿通させ、ＣＣＤ位置決め板７５のビスネジ穴７５ｄに螺着し、ＣＣＤ位置決め板７５とユニット取り付け板４８を接続状態とする。この接続によってＣＣＤ４６の熱がユニット取り付け板４８に伝達可能となる。
【００４７】
また、ユニット取り付け板４８の左方背面下方位置で後カバー板２５に挟まれた位置に撮像用熱伝達弾性接触部材である弾性変形可能な金属板バネの接触片７２が配置され、ユニット取り付け板４８と共締めにより中枠２４に固定される。すなわち、接触片７２のビス挿通穴７２ｂとユニット取り付け板４８のビス挿通穴４８ｄとを挿通させたビス７８を上記中枠２４のビスネジ穴２４ｃに螺着することによって、接触片７２は、ユニット取り付け板４８とともに中枠２４に固着される。上記接触片７２の先端部の接触部７２ａは、カメラ組み込み状態において、後カバー板２５の内面部のＬＣＤ表示窓部（開口部）２５ｂの左方下部の接触部２５ｄ（図２）に圧接状態で当接される。この接触片７２によってユニット取り付け板４８に伝達された熱、すなわち、ＣＣＤ４６や後述するＴＧＩＣ７４およびＬＣＤ部７１の熱が後カバー板２５側に伝達される。
【００４８】
さらに、ユニット取り付け板４８の左方上部には、後述する図３に示す撮像回路用熱伝達弾性接触部材である弾性変形可能な金属製板バネの接触片７３がビス７９により固着されている。
【００４９】
上記ＬＣＤ表示ユニット１１は、撮影画像、または、各種情報データを表示する画像表示手段のＬＣＤ素子等からなるＬＣＤ部７０を有しており、ＬＣＤ部７０は、金属板製のＬＣＤフレーム７１に保持されている。
【００５０】
上記ＬＣＤ表示ユニット１１は、図３に示すようにＬＣＤ表示面を光軸Ｏと直交し、背面側に向けた状態で上記ユニット取り付け板４８の背面に両面接着テープで貼り付け、固定され、上記レンズ鏡筒まわり組み立てユニット７０として組み立てられ、ユニット化される。なお、上記ユニット化状態でＬＣＤ表示ユニット１１は、その一部分がレンズ鏡筒３の固定枠４１の背面側方にはみ出した状態となる。また、ＬＣＤ表示ユニット１１で発生した熱は、接着状態のユニット取り付け板４８側に伝達される。
【００５１】
上記撮像基板１０は、図３に示すようにＣＣＤ４６の撮像出力信号を処理するための上記撮像回路の一部であるＴＧＩＣ（タイミングジェネレータＩＣ）７４、および、電気基板（Ｂ）との接続用コネクタ６２等が実装されており、上記コネクタ６２を介してＣＣＤ基板９とフレキシブルプリント基板４７を介して接続される。
【００５２】
上記撮像基板１０は、上記レンズ駆動部１３の突出部分とＬＣＤ表示ユニット１１の上記固定枠４１の左方側突出部とに挟まれたスペ−スに位置し、その基板主平面が光軸Ｏと平行、かつ、基板長手方向が縦方向（上下方向）に沿った状態で固定枠４１に固定支持される。
【００５３】
上記固定支持状態で撮像基板１０に実装されるＴＧＩＣ７４の表面には、上述したユニット取り付け板４８側の接触片７３が圧接する。すなわち、上記接触片７３の先端に配されたシリコンゴム部７３ａがＴＧＩＣ７４の表面に圧接状態で当接する。したがって、ＴＧＩＣ７４で発熱した熱は、接触片７３を介してユニット取り付け板４８側に伝達される。
【００５４】
なお、上記接触片７３は、ユニット取り付け板４８と一体の部分で形成してもよく、その場合ＴＧＩＣ７４に対してシリコンゴムの弾性で確実な接触力が得られるようにする必要がある。また、上記シリコンゴム７３ａは、熱伝導性のよいシート材であってもよいし、接触辺７３を直接、ＴＧＩＣ７４に当接するようにしてもよい。
【００５５】
上述したようにレンズ鏡筒まわり組み立てユニット７０は、レンズ駆動部１３，ＣＣＤ基板９等が装着されたレンズ鏡筒３の固定枠４１に対して撮像基板１０，ユニット取り付け板４８，ＬＣＤ表示ユニット１１が組み付けられ、ユニット化される。
【００５６】
上述したカメラ１の上記各構成部材をカメラ１のカメラ外装２内への組み込む場合、まず、前カバーユニット２Ａの内面部にストロボ発光ユニット５を接着固定し、さらに、レンズバリア１５をガイド溝２２ａに挿入し、スライド自在に取り付けた状態とする。
【００５７】
そして、電気基板（Ａ），（Ｂ），（Ｃ）６，７，８が固定支持された中枠２４に対してユニット取り付け板４８によってユニット化されたレンズ鏡筒まわり組み立てユニット７０を取り付け、カメラ内蔵ブロックとして組み立てる。
【００５８】
すなわち、ビス５６を中枠２４のビス挿通穴２４ｂに挿通させて上記ユニット取り付け板４８の上方折り曲げ突出部のビスネジ穴４８ｃに螺着し、さらに、ビス７８を接触片７２のビス挿通穴７２ｂおよび下部左方突出部のビス挿通穴４８ｄを挿通させ、中枠２４のビスネジ穴２４ｃに螺着することによって、中枠２４とレンズ鏡筒まわり組み立てユニット７０とが一体化される。そして、電気基板（Ｃ）８のＤＣ端子側に設けられるビス挿通穴８ａに挿通させたビス５７をユニット取り付け板４８のビスネジ穴４８ｅに螺着して、電気基板（Ｃ）８の先端部をユニット取り付け板４８に固定する。また、撮像基板１０の接続コネクタ６２を電気基板（Ｂ）７の接続コネクタ６１に接続する。さらに、上記レンズ鏡筒３の固定枠４１の上方部にファインダユニットを取り付け、固定支持する。
【００５９】
上記レンズ鏡筒まわり組み立てユニット７０および各電気基板等からなるカメラ内蔵ブロックを前カバーユニット２Ａと後カバーユニット２Ｃの内側に挟持した状態で覆い、図示しないビスを後カバー枠２６を挿通させ、前カバー枠２２のビスネジ穴（図示せず）に螺着することによってカメラ１が完成する。
【００６０】
上記カメラ１の組み立て状態において、レンズ鏡筒３の固定枠４１の前端部は、前カバーユニット２Ａに装着されている前リング３１の内周部に嵌合して取り付けられるが、その嵌合状態で固定枠４１の外周に設けられるパッキン４４は、前リング３１の内周面にＵ字断面形状に変形して挿入され、レンズ鏡筒３と前カバーユニット２Ａ間の嵌合隙間の防水がなされる。上記挿入されたレンズ鏡筒３の移動枠４２は、前リング３１の撮影レンズ用開口部３１ａに図示しない防水用パッキンを介して嵌入し、撮影不可能な沈胴位置から前方に突出する撮影可能な位置の間を進退可能となる。さらに、移動枠４２が上記沈胴位置にあるとき、上記移動枠４２および撮影レンズ４３の前面は、レンズバリア１５により覆われる。レンズバリア１５は、上記移動枠４２および撮影レンズ４３の前面から退避する開放位置にスライド移動されると、移動枠４２は、自動的に上記撮影可能位置に繰り出される。上記レンズバリア１５が撮影レンズ４３の前面を覆う閉鎖位置にあるとき、レンズバリア１５が使用者によって押圧された場合、レンズバリア１５の先端部が前リング３１の突出部３１ｂに当接するので金属薄板製の前カバー板２１の変形や傷つき、さらには、レンズバリア１５の変形が防止される。
【００６１】
また、上記カメラ１の組み立て状態において、電気基版（Ａ）６の接触片８５は、組み立て時に調整することなく前カバー板２１の内面接触部２１ａに適切な圧力で接触するので、電源部の発生した熱が確実に前カバー板２１に伝達される。さらに、中枠２４に取り付けられた電池カバー板８１の接触片８２も同様に組み立て時に調整することなく後カバー板２５の内面接触部２５ｆに適切な圧力で接触するので、電池１２および電気基板（Ｂ）７のＡＳＩＣ等で発生した熱が確実に後カバー板２５に伝達される。また、ユニット取り付け板４８の接触片７２も組み立て時に調整することなく後カバー板２５の内面接触部２５ｄに適切な圧力で接触するので、レンズ鏡筒まわり組み立てユニット７０のＣＣＤ４６やＴＧＩＣ７４およびＬＣＤ部７０等で発生した熱が確実に後カバー板２５に伝達される。
【００６２】
以上、説明したような構成と配置を有する本実施形態のカメラ１により撮影を行う場合は、まず、電池１２を電池室２４ａに装填し、カードスロット６３にメモリカードを装着する。そこで、レンズバリア１５を左方向に向けてスライド移動させ、撮影レンズ４３の前面を開放させると、移動枠４２が撮影可能位置に繰り出される。その繰り出し状態でレリーズスイッチ操作釦５１を押圧すると、被写体像の電気信号がＣＣＤ４６にて生成され、画像処理された被写体像画像データが上記メモリカードに記録される。
【００６３】
上述したように各構成部材が配置された本実施形態のデジタルカメラ１では、カメラ右側に配置され、ＣＣＤ基板９を有するレンズ鏡筒３に対してその背面側にＬＣＤ表示ユニット１１を配置し、さらに、左側に撮像基板１０を配置し、ユニット化した状態でレンズ鏡筒まわり組み立てユニット７０が組み立てられる。したがって、カメラのコンパクト化、特に薄型化に寄与すると同時にカメラの組み立て作業が容易となる。さらに、カメラの左側に電池室２４ａと、電気基板（Ａ），（Ｂ）６，７を配置し、カメラ中央上部にストロボ発光ユニット５を配置して、上記ストロボ発光ユニット５の後方であって上記電池室２４ａと上記レンズ鏡筒３とに挟まれた縦長空間にストロボコンデンサ１４を収納するようにしたので、このデジタルカメラ１によると、カメラが本来有する機能を損なうことなくカメラの小型化および薄型化が可能になり、携帯性のよい使い勝手の優れたデジタルカメラを提供できる。
【００６４】
また、本実施形態のカメラ１では、電源部で発生した熱は、前カバー板２１の左方であって撮影時にレンズバリア１５で覆われる部分に効率よく伝達される。また、電池部や制御回路のＴＧＩＣで発生して熱は、後カバー板２５の左方側に効率よく伝達される。さらに、ＣＣＤ等の撮像部やＬＣＤ部で発生した熱は、後カバー板２５の中央部のＬＣＤ窓開口の左側に効率よく伝達される。そして、本カメラ１のカメラ外装は、防水構造を有しており、カメラ内部が外部と遮断された状態にあるが、上述のように外装部内部で発生した熱が上述のように前カバー板２１と後カバー板２５の各部に分散された状態で安定して伝達されるので、上記電源部や撮像部やＬＣＤ表示部の温度上昇が抑えられ、所望の撮影画質性能を満足させることができる。また、カメラ外装の一部のみが加熱されるような状態にならず、カメラ外装の各部に分散して伝達されるので撮影時のカメラの保持に支障をきたさない。また、電源部で発生した熱は、前カバー板２１のグリップ部２１ｃ近傍ではあるが撮影時にはレンズバリア１５で覆われる部分に伝達されるので、カメラホールドの支障にならない。
【００６５】
上記実施形態のカメラにおいては、レンズ鏡筒まわり組み立てユニット７０のユニット取り付け板４８に熱伝達弾性接触である接触片７２が取り付けられていたがその接触片に対する変形例であって、ＬＣＤフレームに接触片を形成した構成のレンズ鏡筒まわり組み立てユニット７０Ａを提案できる。
【００６６】
図７は、上記変形例のレンズ鏡筒まわり組み立てユニットの分解斜視図であり、図８は、上記図７の変形例におけるＬＣＤフレームの接触片が接触する後カバー板を内面側から見た斜視図である。
【００６７】
上記変形例のレンズ鏡筒まわり組み立てユニット７０Ａにおいては、ＬＣＤフレーム７１にその左側一辺から左方に延出する一体部分であって、撮影，画像表示部用熱伝達弾性接触部である弾性変形可能な２つの接触部７１ａが設けられる。上記接触部７１ａは、カメラ内に組み込まれた状態では、図８に示す後カバー板２５のＬＣＤ表示窓部（開口部）２５ｂの左側下部位置の接触エリア２５ｅに圧接状態で当接する。そして、ＬＣＤ部７０、および、ユニット取り付け板４８を介して伝達されるＣＣＤ４６の熱や撮像基板上のＴＧＩＣ７４（撮像部）等の熱が上記接触部７１ａを通して後カバー板２５に伝達される。
【００６８】
本変形例のレンズ鏡筒まわり組み立てユニット７０Ａを適用したカメラによれば、前記一実施形態のカメラ１と同様の効果を奏するが、特に撮影部，画像表示部の熱伝達のための接触片がＬＣＤフレーム７１に一体的に設けられていることから構成部品数が減り、組み立ても簡単になり、さらなるコスト低減と、コンパクト化が実現できる。
【００６９】
上述した実施形態およびその変形例に基づいて、以下の構成を得ることができる。すなわち、
（１）  被写体像を結像する撮影レンズ部と、
上記撮影レンズ部の後端に備えられ、被写体像を光電変換する撮像素子と、
上記撮像素子に近接し、カメラ背面を保護する金属製の後カバーと、
上記撮像素子の背面に位置し、上記後カバーに形成された開口に表示面が臨むように配置される撮影画像を表示する画像表示手段と、
上記撮影レンズ部に熱伝達可能な状態で配置され、画像表示手段を保持するとともに、保持された上記画像表示手段の少なくとも一辺から延出して設けられる熱伝達部を有する画像表示手段保持部材と、
を備え、上記熱伝達部は、上記後カバー内面の上記開口周辺に接触し、上記撮像素子および上記画像表示手段で発生した熱を上記後カバーに伝達することを特徴とするカメラ。
【図面の簡単な説明】
【００７０】
【図１】本発明の一実施形態のカメラの外観を示す斜視図である。
【図２】上記図１のカメラの分解斜視図である。
【図３】上記図１のカメラにおけるレンズ鏡筒まわり組み立てユニットの分解斜視図である。
【図４】上記図３のレンズ鏡筒に装着されるＣＣＤ基板および撮像基板の斜視図である。
【図５】上記図１のカメラに収納される中枠と電池カバー板の分解斜視図である。
【図６】上記図１のカメラに収納される熱伝達用接触片が取り付けられた電気基板（Ａ）の斜視図である。
【図７】上記図１の一実施形態のカメラにおけるレンズ鏡筒まわり組み立てユニットに対する変形例であって、ＬＣＤフレームに接触片を形成したレンズ鏡筒まわり組み立てユニットの分解斜視図である。
【図８】上記図７の変形例におけるＬＣＤフレームの接触片が接触する部分を示す後カバー板を内面側から見た斜視図である。
【符号の説明】
【００７１】
３  …撮影レンズ鏡筒部（撮影レンズ部）
２５  …後カバー板（後カバー）
４６  …ＣＣＤ（撮像素子）
４８  …ユニット取り付け板
（撮像用熱伝達部材）
７０  …ＬＣＤ部（画像表示手段）
７１ａ…接触部
（熱伝達部）
７２  …接触片
（弾性接触部材，熱伝達部）
７５  …ＣＣＤ位置決め板
（熱伝達部）
【図１】
2008271571.tif 000003
【図２】
2008271571.tif 000004
【図３】
2008271571.tif 000005
【図４】
2008271571.tif 000006
【図５】
2008271571.tif 000007
【図６】
2008271571.tif 000008
【図７】
2008271571.tif 000009
【図８】
2008271571.tif 000010